(57)【要約】【課題】本考案は、生体の耳の近辺部位又は耳の周辺部位から生体の呼吸音データを収集し医療診断に供することができる簡略構成の生体の呼吸音検知処理装置を提供するものである。【解決手段】本考案に係る生体の呼吸音検知処理装置１は、生体の耳の下、耳の上、耳の後、額中央部、顎、鼻骨、頭頂部の各部位から選ばれる部位に取り付けられ、呼吸音データを収集する音センサ２と、この音センサ２からの呼吸音データをデジタル変換しフーリエ解析してスペクトラムを求める解析手段５と、この解析手段５にて求めたスペクトラムを基に呼吸音データに対応したソノグラフ画像を作成し表示する音響画像処理手段６と、を有するものである。【選択図】図１
0003130556.tif 000002
【実用新案登録請求の範囲】
【請求項１】
生体の耳の近辺部位又は耳の周辺部位に取り付けられ前記生体の呼吸音データを収集する音センサと、
この音センサからの呼吸音データを基に前記呼吸音データをフーリエ解析しスペクトラムを求める解析手段と、
この解析手段にて求めたスペクトラムを基に前記呼吸音データに対応したソノグラフ画像を作成し表示する音響画像処理手段と、
を有することを特徴とする生体の呼吸音検知処理装置。
【請求項２】
生体の耳の下、耳の上、耳の後、額中央部、頬骨、鼻骨、頭頂部の各部位から選ばれる部位に取り付けられ前記生体の呼吸音データを収集する音センサと、
この音センサからの呼吸音データを基に前記呼吸音データをデジタル変換しフーリエ解析してスペクトラムを求める解析手段と、
この解析手段にて求めたスペクトラムを基に前記呼吸音データに対応したソノグラフ画像を作成し表示する音響画像処理手段と、
を有することを特徴とする生体の呼吸音検知処理装置。
【請求項３】
生体の耳の下、耳の上、耳の後、額中央部、頬骨、顎、鼻骨、頭頂部の各部位から選ばれる部位に取り付けられ前記生体の呼吸音データを収集する振動センサ又はマイクロフォンからなる音センサと、
この音センサからの呼吸音データを基に前記呼吸音データをアナログ／デジテル変換、リアルタイムフーリエ変換してスペクトラムを求める解析手段と、
この解析手段にて求めたスペクトラムを基に前記呼吸音データに対応したソノグラフ画像を作成し表示する音響画像処理手段と、
を有することを特徴とする生体の呼吸音検知処理装置。
【請求項４】
生体の耳の近辺部位又は耳の周辺部位に取り付けられ前記生体の呼吸音データを収集する音センサと、
この音センサからの呼吸音データを基に前記呼吸音データをフーリエ解析しスペクトラムを求める解析手段と、
この解析手段にて求めたスペクトラムを基に前記呼吸音データに対応したソノグラフ画像を作成し表示する音響画像処理装置と、
前記解析手段にて求めたスペクトラムを記憶処理する記憶手段と、
を有することを特徴とする生体の呼吸音検知処理装置。
【請求項５】
生体の耳の下、耳の上、耳の後、額中央部、頬骨、顎、鼻骨、頭頂部の各部位から選ばれる部位に取り付けられ前記生体の呼吸音データを収集する音センサと、
この音センサからの呼吸音データを基に前記呼吸音データをデジタル変換しフーリエ解析してスペクトラムを求める解析手段と、
この解析手段にて求めたスペクトラムを基に前記呼吸音データに対応したソノグラフ画像を作成し表示する音響画像処理手段と、
前記解析手段にて求めたスペクトラムを記憶処理する記憶手段と、
を有することを特徴とする生体の呼吸音検知処理装置。
【請求項６】
生体の耳の下、耳の上、耳の後、額中央部、頬骨、顎、鼻骨、頭頂部の各部位から選ばれる部位に取り付けられ前記生体の呼吸音データを収集する振動センサ又はマイクロフォンからなる音センサと、
この音センサからの呼吸音データを基に前記呼吸音データをアナログ／デジテル変換、リアルタイムフーリエ変換してスペクトラムを求める解析手段と、
この解析手段にて求めたスペクトラムを基に前記呼吸音データに対応したソノグラフ画像を作成し表示する音響画像処理手段と、
前記解析手段にて求めたスペクトラムを記憶処理する記憶手段と、
を有することを特徴とする生体の呼吸音検知処理装置。
【考案の詳細な説明】
【技術分野】
【０００１】
本考案は、生体の呼吸音検知処理装置に関し、詳しくは、特に生体の耳の近辺部位又は耳の周辺部位から生体の呼吸音データを収集し医療診断に供することができ、問診等に使用して好適な生体の呼吸音検知処理装置に関するものである。
【背景技術】
【０００２】
従来、医療現場において、生体の診断を行なう場合において、その呼吸音を検知する手段としては胸部若しくは胸郭上部（首の付け根付近）等に音センサを当て検知することが一般的であり、生体の耳の近辺部位等から呼吸音を検知することは行なわれていない。
【０００３】
ところで、生体の呼吸音は、その周波数帯域から肋骨、脊髄、頭蓋に伝播することが知られており、生体の胸部の他、脊髄、頭蓋等の部位からも音センサを用いて呼吸音を検知し得ることが想定される。特に頭蓋ではその寸法から共鳴現象が起こり易く検知し易いことが想定される。
【０００４】
特許文献１には、この種の生体の呼吸音検知装置の一例として、寝室内のベッドの周辺に就寝する人の呼吸音を非接触で検知する生体情報検出装置を配置した寝室設置装置が提案されている。
【０００５】
しかし、この寝室設置装置の場合も、生体の耳の近辺部位等から直接呼吸音を検知するように構成したものではない。
【特許文献１】特開２００６−１４１８１９号公報
【考案の開示】
【考案が解決しようとする課題】
【０００６】
本考案が解決しようとする問題点は、特に生体の耳の近辺部位又は耳の周辺部位から生体の呼吸音データを収集し医療診断に供することができる簡略構成の生体の呼吸音検知処理装置が存在しない点である。
【課題を解決するための手段】
【０００７】
本考案の生体の呼吸音検知処理装置は、生体の耳の近辺部位又は耳の周辺部位に取り付けられ前記生体の呼吸音データを収集する音センサと、この音センサからの呼吸音データを基に前記呼吸音データをフーリエ解析しスペクトラムを求める解析手段と、この解析手段にて求めたスペクトラムを基に前記呼吸音データに対応したソノグラフ画像を作成し表示する音響画像処理手段と、を有することを最も主要な特徴とする。
【考案の効果】
【０００８】
請求項１乃至３記載の考案によれば、生成されるソノグラフ画像を用いて、問診診断時において呼吸音検査を行なったり、生体の睡眠時無呼吸症候群の監視、検査等を容易に実現できる生体の呼吸音検知処理装置を提供することができる。この場合に、音センサを生体の額中央部、頬骨、鼻骨、耳の下、耳の上、耳の後、頭頂の各部位から選定される各部位に取り付けた構成で、上記効果を発揮させることができる。
【０００９】
請求項４乃至６記載の各考案によれば、請求項１乃至３記載各考案と同様な効果を各々発揮することに加え、保存データ量が少なくて済み、記憶手段、更には全体構成のコンパクトな生体の呼吸音検知処理装置を提供することができる。
【考案を実施するための最良の形態】
【００１０】
本考案は、生体の耳の近辺部位又は耳の周辺部位から生体の呼吸音データを収集し医療診断に供することができる簡略構成の生体の呼吸音検知処理装置を提供するという目的を、生体の耳の下、耳の上、耳の後、額中央部、顎、鼻骨、頭頂部の各部位から選ばれる部位に取り付けられ前記生体の呼吸音データを収集する音センサと、この音センサからの呼吸音データを基に前記呼吸音データをデジタル変換しフーリエ解析してスペクトラムを求める解析手段と、この解析手段にて求めたスペクトラムを基に前記呼吸音データに対応したソノグラフ画像を作成し表示する音響画像処理手段と、を有する構成により実現した。
【実施例】
【００１１】
以下に、本考案の実施例に係る生体の呼吸音検知処理装置について図面を参照して詳細に説明する。
【００１２】
（実施例１）
図１乃至図５を参照して本考案の実施例１に係る生体Ｍの呼吸音検知処理装置１について説明する。
【００１３】
図１に示す本実施例１に係る生体Ｍの呼吸音検知処理装置１は、生体Ｍの例えば耳の下の部位Ｆに取り付けられ前記生体Ｍの呼吸に伴う呼吸音データを収集する例えばコンタクトマイクロフォン（マテリアル結合）３からなる音センサ２と、この音センサ２からの呼吸音データを基に前記呼吸音データのフィルタ処理、アナログ／デジテル変換処理、リアルタイムフーリエ変換処理を行ない、呼吸音データに対応したスペクトラムを求める解析手段５と、この解析手段５をもって求めたスペクトラムを基に前記呼吸音データに対応した図３に示すようなソノグラフ画像を作成し表示する音響画像処理手段６と、を有している。
前記音センサ２は、コンタクトマイクロフォン３を保持し、かつ、前記部位Ｆに容易に取り付け可能とする吸盤等からなる取付補助具４を備えている。
【００１４】
前記音センサ２としては、圧電素子等を用いた振動センサ又はエレクトレットマイクロフォン（ＥＣＭ：空気結合）等を用いることもできる。
【００１５】
前記解析手段５は、音センサ２からの呼吸音データから不要の周波数成分を除去するフィルタ処理を行なうフィルタ部１１と、フィルタ処理された呼吸音データに対するアナログ／デジテル変換処理を行なうＡ／Ｄ変換部１２と、デジテル変換された呼吸音データをリアルタイムでフーリエ変換処理し、そのスペクトラムを生成するＦＦＴ部１３と、を有している。
【００１６】
前記音響画像処理手段６は、前記ＦＦＴ部１３により生成するスペクトラムのデータを取り込み予め設定した規約に基づいた表示制御を実行して、図３に示すような横軸に時間、縦軸に周波数をとって表される呼吸音データに対応するソノグラフ画像を作成表示する表示制御部１４、及び、ＣＲＴ又は液晶表示器等からなる表示部１５を具備している。
【００１７】
本実施例１によれば、生体Ｍの耳の下の部位Ｆに音センサ２を取付補助具４を用いて取り付けるだけで、前記解析手段５によるフィルタ処理、アナログ／デジテル変換処理、リアルタイムフーリエ変換処理が実行され、更に、前記音響画像処理手段６により図２に示すソノグラフ画像が作成表示される。
【００１８】
これにより、図２に示すソノグラフ画像を用いて、例えば、生体Ｍに対する医者の問診診断時において呼吸音検査を行なったり、生体Ｍの睡眠時無呼吸症候群（ＳＡＳ）の監視、検査等を容易に実現できる生体Ｍの呼吸音検知処理装置１を提供することができる。
【００１９】
図４は、前記音センサ２の生体Ｍに対する取り付け部位の他例を示すものであり、前記音センサ２を額中央部（眉間の上）の部位Ａ、頬骨の部位Ｂ、顎の部位Ｃ、鼻骨の部位Ｄ、頭頂の部位Ｈ等から選択される各部位に取り付けても、前記呼吸音検知処理装置１の場合と同様な作用、効果を発揮させることができる。
【００２０】
また、図５に示すように、前記音センサ２を、生体Ｍの耳の上の部位Ｅ、耳の後の部位Ｇから選択される各部位に取り付けても、前記呼吸音検知処理装置１の場合と同様な作用、効果を発揮させることができる。
【００２１】
（実施例２）
図６乃至図７を参照して本考案の実施例２に係る生体Ｍの呼吸音検知処理装置１Ａについて説明する。
【００２２】
図６に示す本実施例２に係る生体Ｍの呼吸音検知処理装置１Ａは、基本的構成は実施例１の呼吸音検知処理装置１と同様であるが、前記呼吸音検知処理装置１の構成に対して、前記解析手段５にて求めた図７に示すようなＦＦＴ部１３により求めたスペクトラムのデータを記憶処理する記憶手段２１を付加したことが特徴であり、この他の構成は前記呼吸音検知処理装置１の場合と同様である。
【００２３】
前記記憶手段２１は、公知のフラッシュメモリ、ＲＡＭ等の記憶部２３と、この記憶部２３に対して前記スペクトラムのデータ書き込み、読み出し等を行なう記憶制御部２２とを有している。
【００２４】
本実施例２に係る生体Ｍの呼吸音検知処理装置１Ａによれば、実施例１の呼吸音検知処理装置１と同様、図２に示すソノグラフ画像を作成表示し、このソノグラフ画像を用いて、例えば、生体Ｍに対する医者の問診診断時において呼吸音検査を行なったり、生体Ｍの睡眠時無呼吸症候群（ＳＡＳ）の監視、検査等を容易に実現できる。
【００２５】
また、本実施例２に係る生体Ｍの呼吸音検知処理装置１Ａによれば、前記スペクトラムのデータを記憶手段２１に記憶処理するように構成しているので、生体Ｍの呼吸音検知処理に伴う保存データ量が少なくて済み、記憶手段２１、更には全体構成のコンパクトな呼吸音検知処理装置１Ａとすることができる。
【００２６】
なお、前記呼吸音検知処理装置１、１Ａにおいて、必要に応じて、プリンタや、プロッタ等を接続し、解析データを紙媒体上に出力する構成としても良い。
【産業上の利用可能性】
【００２７】
本考案は、上述した場合の他、例えば生体の心拍音等の検知を行なう場合にも応用可能である。
【図面の簡単な説明】
【００２８】
【図１】本考案の実施例１に係る呼吸音検知処理装置の構成を示すブロック図である。
【図２】本実施例１に係る呼吸音検知処理装置の音センサの生体への取り付け部位の一例を示す図である。
【図３】本実施例１に係る呼吸音検知処理装置におけるソノグラフ画像を示す図である。
【図４】本実施例１に係る呼吸音検知処理装置における音センサの生体への取り付け部位の他の例を示す図である。
【図５】本実施例１に係る呼吸音検知処理装置における音センサの生体への取り付け部位の他の例を示す図である。
【図６】本考案の実施例２に係る呼吸音検知処理装置の構成を示すブロック図である。
【図７】本実施例２に係る呼吸音検知処理装置におけるヒストグラムを示す図である。
【符号の説明】
【００２９】
１    呼吸音検知処理装置
１Ａ  呼吸音検知処理装置
２    音センサ
３    コンタクトマイクロフォン
４    取付補助具
５    解析手段
６    音響画像処理手段
１１    フィルタ部
１２    Ａ／Ｄ変換部
１３    ＦＦＴ部
１４    表示制御部
１５    表示部
２１    記憶手段
２２    記憶制御部
２３    記憶部
Ａ    部位
Ｂ    部位
Ｃ    部位
Ｄ    部位
Ｅ    部位
Ｆ    部位
Ｇ    部位
Ｈ    部位
Ｍ    生体
【図１】
0003130556.tif 000003
【図２】
0003130556.tif 000004
【図３】
0003130556.tif 000005
【図４】
0003130556.tif 000006
【図５】
0003130556.tif 000007
【図６】
0003130556.tif 000008
【図７】
0003130556.tif 000009